【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
入力された動画像データに基づく動画像を表示する表示部と、
前記動画像データの再生方法に関する特定の再生操作が行われたか否かを判断する判断手段と、
前記特定の再生操作が行われた場合に、輝度が第１閾値よりも高い動画像の表示が抑制されるように、前記表示部による表示を制御する制御手段と、
を有する
ことを特徴とする画像表示装置。
【請求項２】
前記特定の再生操作は、
輝度が前記第１閾値よりも高い画像領域を含むフレームの再生時に行われた、前記動画像の再生を一時的に停止する第１の一時停止操作、
輝度が前記第１閾値よりも高く、且つ、サイズが第２閾値よりも大きい画像領域を含むフレームの再生時に行われた、前記動画像の再生を一時的に停止する第２の一時停止操作、
輝度が前記第１閾値よりも高い画像領域を含む動画像が再生されるように、前記動画像データの画像サイズを変更する第１のスケーリング操作、
輝度が前記第１閾値よりも高く、且つ、サイズが前記第２閾値よりも大きい画像領域を含む動画像が再生されるように、前記動画像データの画像サイズを変更する第２のスケーリング操作、または、
前記動画像データの再生速度を変更する速度変更操作、
を含む
ことを特徴とする請求項１に記載の画像表示装置。
【請求項３】
前記特定の再生操作は、前記第１の一時停止操作を含み、
前記第１の一時停止操作が行われた場合に、前記制御手段は、輝度が前記第１閾値よりも高い画像領域を含まないフレームに、表示対象のフレームを切り替える
ことを特徴とする請求項２に記載の画像表示装置。
【請求項４】
前記特定の再生操作は、前記第２の一時停止操作を含み、
前記第２の一時停止操作が行われた場合に、前記制御手段は、輝度が前記第１閾値より
も高く、且つ、サイズが前記第２閾値よりも大きい画像領域を含まないフレームに、表示対象のフレームを切り替える
ことを特徴とする請求項２または３に記載の画像表示装置。
【請求項５】
前記特定の再生操作は、前記第１の一時停止操作を含み、
前記第１の一時停止操作に応じた再生方法での再生を解除するユーザ操作が行われた場合に、前記制御手段は、輝度が前記第１閾値よりも高い画像領域を含まないフレームから表示されるように、表示対象のフレームを切り替える
ことを特徴とする請求項２〜４のいずれか１項に記載の画像表示装置。
【請求項６】
前記特定の再生操作は、前記第２の一時停止操作を含み、
前記第２の一時停止操作に応じた再生方法での再生を解除するユーザ操作が行われた場合に、前記制御手段は、輝度が前記第１閾値よりも高く、且つ、サイズが前記第２閾値よりも大きい画像領域を含まないフレームから表示されるように、表示対象のフレームを切り替える
ことを特徴とする請求項２〜５のいずれか１項に記載の画像表示装置。
【請求項７】
前記特定の再生操作が行われた場合に、前記制御手段は、前記表示部の表示輝度を低減する低減処理を行う
ことを特徴とする請求項１〜６のいずれか１項に記載の画像表示装置。
【請求項８】
前記表示部は、発光部と、発光部から発せられた光を変調することで動画像を表示する表示パネルと、を有し、
前記低減処理は、前記発光部の発光輝度を低減する処理を含む
ことを特徴とする請求項７に記載の画像表示装置。
【請求項９】
前記発光輝度の取り得る値の範囲は、第１の輝度範囲と、前記第１の輝度範囲よりも前記発光輝度の最大値が高い第２の輝度範囲と、の間で変更可能であり、
前記発光輝度を低減する前記処理は、前記発光輝度の取り得る値の範囲を前記第２の輝度範囲から前記第１の輝度範囲に変更する処理である
ことを特徴とする請求項８に記載の画像表示装置。
【請求項１０】
前記低減処理は、前記動画像データの階調値を低減する処理を含む
ことを特徴とする請求項７〜９のいずれか１項に記載の画像表示装置。
【請求項１１】
階調値の取り得る値の範囲が第１の階調範囲である第１動画像データを取得する第１取得手段と、
階調値の取り得る値の範囲が、前記第１の階調範囲よりも階調値の最大値が大きい第２の階調範囲である第２動画像データと、前記第１動画像データとの差分に関する差分データを取得する第２取得手段と、
前記第１動画像データと前記差分データに基づいて、前記第２動画像データを生成する生成手段と、
をさらに有し、
前記動画像データの階調値を低減する前記処理は、前記動画像データを前記第２動画像データから前記第１動画像データに変更する処理である
ことを特徴とする請求項１０に記載の画像表示装置。
【請求項１２】
前記動画像データの輝度に関する輝度データを取得する第３取得手段、をさらに有し、
前記判断手段は、行われた再生操作と前記輝度データとに基づいて、前記行われた再生操作が前記特定の再生操作であるか否かを判断する
ことを特徴とする請求項１〜１１のいずれか１項に記載の画像表示装置。
【請求項１３】
動画像データを表示装置に出力する出力部と、
前記動画像データの再生方法に関する特定の再生操作が行われたか否かを判断する判断手段と、
前記特定の再生操作が行われた場合に、輝度が第１閾値よりも高い動画像の表示が抑制されるように、前記出力部による出力を制御する制御手段と、
を有する
ことを特徴とする画像出力装置。
【請求項１４】
前記特定の再生操作は、
輝度が前記第１閾値よりも高い画像領域を含むフレームの再生時に行われた、前記動画像の再生を一時的に停止する第１の一時停止操作、
輝度が前記第１閾値よりも高く、且つ、サイズが第２閾値よりも大きい画像領域を含むフレームの再生時に行われた、前記動画像の再生を一時的に停止する第２の一時停止操作、
輝度が前記第１閾値よりも高い画像領域を含む動画像が再生されるように、前記動画像データの画像サイズを変更する第１のスケーリング操作、
輝度が前記第１閾値よりも高く、且つ、サイズが前記第２閾値よりも大きい画像領域を含む動画像が再生されるように、前記動画像データの画像サイズを変更する第２のスケーリング操作、または、
前記動画像データの再生速度を変更する速度変更操作、
を含む
ことを特徴とする請求項１３に記載の画像出力装置。
【請求項１５】
前記特定の再生操作は、前記第１の一時停止操作を含み、
前記第１の一時停止操作が行われた場合に、前記制御手段は、輝度が前記第１閾値よりも高い画像領域を含まないフレームに、表示対象のフレームが切り替えられるように、前記出力を制御する
ことを特徴とする請求項１４に記載の画像出力装置。
【請求項１６】
前記特定の再生操作は、前記第２の一時停止操作を含み、
前記第２の一時停止操作が行われた場合に、前記制御手段は、輝度が前記第１閾値よりも高く、且つ、サイズが前記第２閾値よりも大きい画像領域を含まないフレームに、表示対象のフレームが切り替えられるように、前記出力を制御する
ことを特徴とする請求項１４または１５に記載の画像出力装置。
【請求項１７】
前記特定の再生操作は、前記第１の一時停止操作を含み、
前記第１の一時停止操作に応じた再生方法での再生を解除するユーザ操作が行われた場合に、前記制御手段は、輝度が前記第１閾値よりも高い画像領域を含まないフレームから表示されるように、前記出力を制御する
ことを特徴とする請求項１４〜１６のいずれか１項に記載の画像出力装置。
【請求項１８】
前記特定の再生操作は、前記第２の一時停止操作を含み、
前記第２の一時停止操作に応じた再生方法での再生を解除するユーザ操作が行われた場合に、前記制御手段は、輝度が前記第１閾値よりも高く、且つ、サイズが前記第２閾値よりも大きい画像領域を含まないフレームから表示されるように、前記出力を制御する
ことを特徴とする請求項１４〜１７のいずれか１項に記載の画像出力装置。
【請求項１９】
前記特定の再生操作が行われた場合に、前記制御手段は、前記表示装置の表示輝度が低
減されるように前記出力を制御する低減処理を行う
ことを特徴とする請求項１３〜１８のいずれか１項に記載の画像出力装置。
【請求項２０】
前記表示装置は、発光部と、前記発光部から発せられた光を変調することで動画像を表示する表示パネルと、を有し、
前記低減処理は、前記発光部の発光輝度が低減されるように前記出力を制御する処理を含む
ことを特徴とする請求項１９に記載の画像出力装置。
【請求項２１】
前記発光輝度の取り得る値の範囲は、第１の輝度範囲と、前記第１の輝度範囲よりも前記発光輝度の最大値が高い第２の輝度範囲と、の間で変更可能であり、
前記発光輝度が低減されるように前記出力を制御する前記処理は、前記発光輝度の取り得る値の範囲が前記第２の輝度範囲から前記第１の輝度範囲に変更されるように前記出力を制御する処理である
ことを特徴とする請求項２０に記載の画像出力装置。
【請求項２２】
前記低減処理は、前記動画像データの階調値が低減されるように前記出力を制御する処理を含む
ことを特徴とする請求項１９に記載の画像出力装置。
【請求項２３】
階調値の取り得る値の範囲が第２の階調範囲である第２動画像データを取得する第１取得手段と、
階調値の取り得る値の範囲が、前記第２の階調範囲よりも階調値の最大値が小さい第１の階調範囲である第１動画像データ、及び、前記第１動画像データと前記第２動画像データの差分に関する差分データを、前記第２動画像データに基づいて生成する生成手段と、をさらに有し、
前記動画像データの階調値が低減されるように前記出力を制御する前記処理は、前記動画像データが前記第２動画像データから前記第１動画像データに変更されるように前記出力を制御する処理である
ことを特徴とする請求項２２に記載の画像出力装置。
【請求項２４】
前記動画像データの輝度に関する輝度データを取得する第２取得手段、をさらに有し、
前記判断手段は、行われた再生操作と前記輝度データとに基づいて、前記行われた再生操作が前記特定の再生操作であるか否かを判断する
ことを特徴とする請求項１３〜２３のいずれか１項に記載の画像出力装置。
【請求項２５】
前記特定の再生操作が行われた場合に、前記制御手段は、輝度が第１閾値よりも高い動画像の表示が抑制されるように前記表示装置による表示を制御するデータである制御データが出力されるように、前記出力を制御する
ことを特徴とする請求項１３〜２４のいずれか１項に記載の画像出力装置。
【請求項２６】
前記画像出力装置は、撮像によって前記動画像データを生成する撮像装置であり、
前記制御手段は、前記撮像、前記撮像に使用するレンズの交換、または、前記撮像におけるピントの確認が行われている場合にも、輝度が第１閾値よりも高い動画像の表示が抑制されるように、前記出力を制御する
ことを特徴とする請求項１３〜２５のいずれか１項に記載の画像出力装置。
【請求項２７】
入力された動画像データに基づく動画像を表示する表示部を有する画像表示装置の制御方法であって、
前記動画像データの再生方法に関する特定の再生操作が行われたか否かを判断すること
と、
前記特定の再生操作が行われた場合に、輝度が第１閾値よりも高い動画像の表示が抑制されるように、前記表示部による表示を制御することと、
を有する
ことを特徴とする画像表示装置の制御方法。
【請求項２８】
動画像データを表示装置に出力する出力部を有する画像出力装置の制御方法であって、
前記動画像データの再生方法に関する特定の再生操作が行われたか否かを判断することと、
前記特定の再生操作が行われた場合に、輝度が第１閾値よりも高い動画像の表示が抑制されるように、前記出力部による出力を制御することと、
を有する
ことを特徴とする画像出力装置の制御方法。
【手続補正２】
【補正対象書類名】明細書
【補正対象項目名】発明の名称
【補正方法】変更
【補正の内容】
【発明の名称】画像表示装置、画像出力装置、及び、それらの制御方法
【手続補正３】
【補正対象書類名】明細書
【補正対象項目名】０００１
【補正方法】変更
【補正の内容】
【０００１】
本発明は、画像表示装置、画像出力装置、及び、それらの制御方法に関する。
【手続補正４】
【補正対象書類名】明細書
【補正対象項目名】００１４
【補正方法】変更
【補正の内容】
【００１４】
本発明の第１の態様は、
入力された動画像データに基づく動画像を表示する表示部と、
前記動画像データの再生方法に関する特定の再生操作が行われたか否かを判断する判断手段と、
前記特定の再生操作が行われた場合に、輝度が第１閾値よりも高い動画像の表示が抑制されるように、前記表示部による表示を制御する制御手段と、
を有する
ことを特徴とする画像表示装置である。
【手続補正５】
【補正対象書類名】明細書
【補正対象項目名】００１５
【補正方法】変更
【補正の内容】
【００１５】
本発明の第２の態様は、
動画像データを表示装置に出力する出力部と、
前記動画像データの再生方法に関する特定の再生操作が行われたか否かを判断する判断手段と、
前記特定の再生操作が行われた場合に、輝度が第１閾値よりも高い動画像の表示が抑制されるように、前記出力部による出力を制御する制御手段と、
を有する
ことを特徴とする画像出力装置である。
【手続補正６】
【補正対象書類名】明細書
【補正対象項目名】００１６
【補正方法】変更
【補正の内容】
【００１６】
本発明の第３の態様は、
入力された動画像データに基づく動画像を表示する表示部を有する画像表示装置の制御方法であって、
前記動画像データの再生方法に関する特定の再生操作が行われたか否かを判断することと、
前記特定の再生操作が行われた場合に、輝度が第１閾値よりも高い動画像の表示が抑制されるように、前記表示部による表示を制御することと、
を有する
ことを特徴とする画像表示装置の制御方法である。
【手続補正７】
【補正対象書類名】明細書
【補正対象項目名】００１７
【補正方法】変更
【補正の内容】
【００１７】
本発明の第４の態様は、
動画像データを表示装置に出力する出力部を有する画像出力装置の制御方法であって、
前記動画像データの再生方法に関する特定の再生操作が行われたか否かを判断することと、
前記特定の再生操作が行われた場合に、輝度が第１閾値よりも高い動画像の表示が抑制されるように、前記出力部による出力を制御することと、
を有する
ことを特徴とする画像出力装置の制御方法である。
【手続補正８】
【補正対象書類名】明細書
【補正対象項目名】００１８
【補正方法】変更
【補正の内容】
【００１８】
本発明の第５の態様は、上述した画像表示装置の制御方法の各ステップをコンピュータに実行させることを特徴とするプログラムである。本発明の第６の態様は、上述した画像出力装置の制御方法の各ステップをコンピュータに実行させることを特徴とするプログラムである。
【手続補正９】
【補正対象書類名】明細書
【補正対象項目名】０１０２
【補正方法】変更
【補正の内容】
【０１０２】
画像表示装置１２００の動作全体のフローチャートは、実施例１（図６）と同じである
。次に、本実施例に係る再生操作処理（図６のＳ６０８）について、図１４のフローチャートを用いて説明する。図１４は、本実施例に係る再生操作処理の一例を示すフローチャートである。
【手続補正１０】
【補正対象書類名】明細書
【補正対象項目名】０１５１
【補正方法】変更
【補正の内容】
【０１５１】
ＥＡＶ（Ｅｎｄ  ｏｆ  Ａｃｔｉｖｅ  Ｖｉｄｅｏ）には、ＳＤＩデータのＴＲＳ（Ｔｉｍｉｎｇ  Ｒｅｆｅｒｅｎｃｅ  Ｓｉｇｎａｌ）における水平／垂直の有効画像領域終了点を表す識別子が格納されている。例えば、ＥＡＶには、識別子として、［３ＦＦ］［０００］［０００］［ＸＹＺ］の４ワードからなる同期識別コードが格納される。［ＸＹＺ］の内容から、ＥＡＶ、ＳＡＶ、フィールド、水平／垂直を識別することができる。
【手続補正１１】
【補正対象書類名】明細書
【補正対象項目名】０１９７
【補正方法】変更
【補正の内容】
【０１９７】
制御部２７０５は、ＳＴＢ２６００が有する各機能部の処理を制御する。例えば、制御部２７０５は、画像表示装置２６１０の処理を制御する制御データを生成する処理と、生成した制御データを画像表示装置２６１０に出力する処理とが行われるように、データ出力部２７０６の処理を制御する。再生操作が行われた場合には、行われた再生操作に応じた再生方法で対象画像データに基づく動画像が再生されるように画像表示装置２６１０による再生を制御する制御データが生成され、生成された制御データが画像表示装置２６１０に出力される。特定の再生操作が行われた場合には、輝度が第１閾値よりも高い画像の再生が抑制されるように画像表示装置２６１０による再生をさらに制御する制御データが生成される。そして、画像表示装置２６１０では、制御データに従って再生が行われる。制御データのフォーマットは特に限定されないが、本実施例では、制御データとしてＣＥＣコマンドが使用される。